(57)【要約】  【課題】製造コストを上昇させることなく、ユーザによる記録媒体の交換に伴うトラブルの発生を未然に防止することのできる記録再生装置を提供する。  【解決手段】記録再生装置の１つであるハードディスクレコーダに電源が投入されると、ＨＤＤ（ハードディスクドライブ）から機種情報を読み出し、機種情報が正しいか否かを調べる（Ｓ１，Ｓ２）。さらに、ＨＤＤがハードディスクレコーダに適合することを示すＨＤＤ適合情報をハードディスクから読み出し、ＨＤＤ適合情報が正しいか否かを調べる（Ｓ３，Ｓ４）。リモコンからハードディスクにアクセスする処理が指示された場合（Ｓ１１）、ＨＤＤが市販のＨＤＤに交換されていて上記の機種情報またはＨＤＤ適合情報が正しくないときは（Ｓ１２：ＮＯ）、当該処理（ハードディスクへの放送信号の記録など）を行わずに、エラーメッセージを表示する（Ｓ１４）。【選択図】  図２
2006065906.tif 000002
【特許請求の範囲】
【請求項１】
装置の筐体内に設けられたハードディスクドライブのハードディスクにテレビ放送の放送信号を記録すると共に記録された放送信号を再生する記録再生装置において、
前記ハードディスクドライブの機種を示す第１機種情報を当該ハードディスクドライブから取得する機種情報取得手段と、
前記ハードディスクに予め記録された当該ハードディスクドライブが適合品であることを示す第１適合情報を取得する適合情報取得手段と、
前記ハードディスクドライブの機種を示す第２機種情報および前記ハードディスクドライブが適合品であることを示す第２適合情報を予め記憶した記憶部と、
電源が投入されたときに、前記機種情報取得手段が取得した第１機種情報と前記記憶部に記憶された第２機種情報とが一致し、且つ前記適合情報取得手段が取得した第１適合情報と前記記憶部に記憶された第２適合情報とが一致しているか否かを判定する判定手段と、
前記判定の結果が共に一致ではない場合には、前記ハードディスクに対する記録または再生の動作を禁止する制御手段と、を備えたことを特徴とする記録再生装置。
【請求項２】
装置の筐体内に設けられた記録媒体に放送信号を記録すると共に記録された放送信号を再生する記録再生装置において、
前記記録媒体に予め記録された当該記録媒体が適合品であることを示す第１適合情報を取得する取得手段と、
前記記録媒体が適合品であることを示す第２適合情報を予め記憶した記憶部と、
前記取得手段が取得した第１適合情報と前記記憶部に記憶された第２適合情報とが一致していない場合には、前記記録媒体に対する記録または再生の動作を禁止する制御手段と、を備えたことを特徴とする記録再生装置。
【請求項３】
請求項２に記載の記録再生装置において、
前記記録媒体はハードディスクドライブのハードディスクであり、前記第１適合情報は前記ハードディスクに予め記録されていることを特徴とする記録再生装置。
【発明の詳細な説明】
【技術分野】
【０００１】
本発明は、放送信号を記録媒体に記録し、記録された放送信号を再生する記録再生装置に関する。
【背景技術】
【０００２】
放送信号の記録再生装置の１つであるハードディスクレコーダは、記録媒体として１００ＧＢや２００ＧＢなどの大きな記録容量のハードディスクドライブを備え、ＤＶＤ−ＲＷなどの記録媒体を交換しなくても長時間分のテレビ放送を記録できることから、多くのユーザに使用されている。ハードディスクドライブはユニット化されているので、ユーザが元々取り付けられているハードディスクドライブを取り外し、市販されている記録容量の大きいものに交換することも可能である。また、ハードディスクドライブを容易に交換できることが望ましいという考えから、ハードディスクレコーダに装着用のスロットを設け、このスロットにユニット化したハードディスクドライブを簡単に装着できるようにすることが提案されている（例えば、特許文献１、２）。
【特許文献１】特開２０００−１１２６６７号公報（段落０００４〜０００５）
【特許文献２】特開２００４−２３５８８号公報（段落０００９，００１３）
【発明の開示】
【発明が解決しようとする課題】
【０００３】
しかしながら、市販されている殆どのハードディスクレコーダでは、上記特許文献１、２に示されるものとは異なり、ハードディスクドライブはハードディスクレコーダの筐体内に収納されており、筐体のカバーを開けなければ交換できないようになっている。このようにしているのは、ハードディスクレコーダは、ユーザがハードディスクドライブを交換することを想定しているパーソナルコンピュータなどとは異なり、ユーザによる交換を想定していない家電製品であり、簡単に交換できないようにすることで、交換に伴うトラブル、例えば、ハードディスクドライブの交換後にハードディスクレコーダが正常に動作しなくなるというようなトラブルが発生しないようにするためである。
【０００４】
しかし、筐体のカバーの取り付けネジを外してカバーを開ければ、ハードディスクドライブを交換することができ、しかも交換後のハードディスクドライブにテレビ放送を記録することもできる。このため、多数のユーザがハードディスクドライブを交換するので、交換に伴うトラブルが多く発生するという問題がある。一方、ハードディスクドライブを筐体にリベット止めするなどして、物理的に交換ができないようにすることも考えられるが、このようにするとハードディスクドライブが故障したときに、簡単に交換ができなくなってしまう。尚、特許文献１、２に示されるハードディスクレコーダは、上記の交換に伴うトラブルを減少させるが、やはり大衆向けの家電製品には馴染まない方式であり、ハードディスクドライブを装着するスロットを余分に設けることに伴う製造コストの増大という問題も有する。
【０００５】
本発明は、上記問題点を解決するものであって、その課題とするところは、製造コストを上昇させることなく、ユーザによる記録媒体の交換に伴うトラブルの発生を未然に防止することのできる記録再生装置を提供することにある。
【課題を解決するための手段】
【０００６】
第１の発明では、装置の筐体内に設けられたハードディスクドライブのハードディスクにテレビ放送の放送信号を記録すると共に記録された放送信号を再生する記録再生装置において、ハードディスクドライブの機種を示す第１機種情報を当該ハードディスクドライブから取得する機種情報取得手段と、ハードディスクに予め記録された当該ハードディスクドライブが適合品であることを示す第１適合情報を取得する適合情報取得手段と、ハードディスクドライブの機種を示す第２機種情報およびハードディスクドライブが適合品であることを示す第２適合情報を予め記憶した記憶部と、電源が投入されたときに、機種情報取得手段が取得した第１機種情報と記憶部に記憶された第２機種情報とが一致し、且つ適合情報取得手段が取得した第１適合情報と記憶部に記憶された第２適合情報とが一致しているか否かを判定する判定手段と、判定の結果が共に一致ではない場合には、ハードディスクに対する記録または再生の動作を禁止する制御手段と、を備える。
【０００７】
ここでは、記録または再生の動作を禁止しているが、これは両者の動作を禁止することを排除するものではなく、記録または再生以外の動作、例えば、ハードディスクの初期化処理などを禁止することを排除するものでもない。また、上記の機種情報取得手段には実施形態に示すＨＤＤ制御部が相当し、適合情報取得手段には実施形態に示すＨＤＤ制御部や記録再生部が相当し、判定手段および制御手段には実施形態に示す制御部が相当する。
【０００８】
このようにすることで、ユーザが記録再生装置に元々取り付けられているハードディスクドライブを取り外して市販のハードディスクドライブに交換した場合には、第１機種情報と第２機種情報との一致、または第１適合情報と第２適合情報との一致がとれなくなるので、記録再生装置でテレビ放送の記録または再生をすることができなくなる。これにより、ユーザがハードディスクドライブの交換をしなくなり、交換に伴うトラブルの発生を未然に防止することができる。また、電子部品や機構部品を追加することなく上記のことが実現されるので、製造コストが上昇することもない。さらに、電源が投入されたときにハードディスクドライブの機種が正しく、且つそれが適合品であるか否かを判定するので、リモコンからテレビ放送の記録などの指示がされるたびに上記判定を行わなくてもよく、即座に記録などを開始することができる。さらに、正しい機種のハードディスクドライブに対して適合品であるか否かの判定を行うようにできるので、適合品であるか否かの判定を行う際にリードエラーなどが発生することもない。
【０００９】
第２の発明では、装置の筐体内に設けられた記録媒体に放送信号を記録すると共に記録された放送信号を再生する記録再生装置において、記録媒体に予め記録された当該記録媒体が適合品であることを示す第１適合情報を取得する取得手段と、記録媒体が適合品であることを示す第２適合情報を予め記憶した記憶部と、取得手段が取得した第１適合情報と記憶部に記憶された第２適合情報とが一致していない場合には、記録媒体に対する記録または再生の動作を禁止する制御手段と、を備える。
【００１０】
ここでは、記録または再生の動作を禁止しているが、これは両者の動作を禁止することを排除するものではなく、記録または再生以外の動作、例えば、記録媒体の初期化処理などを禁止することを排除するものでもない。また、取得手段には、記録媒体がハードディスクである場合には実施形態に示すＨＤＤ制御部や記録再生部が相当し、記録媒体が半導体メモリなどである場合には半導体メモリなどにアクセスするためのリード／ライト回路などが相当する。制御手段には実施形態に示す制御部が相当する。
【００１１】
このようにすることで、ユーザが記録再生装置に元々取り付けられている記録媒体を取り外して市販の記録媒体に交換した場合には、第１適合情報と第２適合情報との一致がとれなくなるので、記録再生装置で放送の記録または再生をすることができなくなる。これにより、ユーザが記録媒体の交換をしなくなり、交換に伴うトラブルの発生を未然に防止することができる。また、電子部品や機構部品を追加することなく上記のことが実現されるので、製造コストが上昇することもない。尚、機種の正しくない記録媒体に対して適合品であるか否かの判定を行うと、リードエラーなどが発生する可能性もあるが、リードエラーなどが発生した場合には、適合品ではないと判定すればよい。
【００１２】
第２の発明の実施形態においては、記録媒体はハードディスクドライブのハードディスクであり、第１適合情報はハードディスクに予め記録されている。
【発明の効果】
【００１３】
本発明によれば、ユーザがハードディスクドライブなどの記録媒体を交換すると、記録再生装置が記録または再生の動作を行わなくなるので、ユーザによる記録媒体の交換が行われなくなり、記録媒体の交換に伴うトラブルを未然に防止することができる。しかも、記録再生装置の製造コストが上昇することもない。
【発明を実施するための最良の形態】
【００１４】
以下、図面を参照して本発明の実施形態を説明する。図１は、本発明に係る記録再生装置の１つであるハードディスクレコーダ（以下、装置という）の構成を示すブロック図である。この装置はハードディスク１１ａに対してテレビ放送の映像信号および音声信号（以下では、両者を合わせて放送信号という）の記録および再生を行う。装置の筐体１０の内部には、チューナ１５などを実装した不図示のプリント基板やＨＤＤ（ハードディスクドライブ）１１などが収納されており、ネジを外して筐体１０のカバーを開けない限り、ＨＤＤ１１の交換ができないようになっている。ＨＤＤ１１は、ハードディスク１１ａ、ハードディスク１１ａに放送信号を記録し、ハードディスク１１ａに記録された放送信号を再生する記録再生部１１ｂ、および記録再生部１１ｂや不図示の記録再生ヘッド駆動部や回転駆動部などを制御するＨＤＤ制御部１１ｃなどから構成され、ＡＴＡ準拠のインタフェイスによって装置の他の部分に接続されている。
【００１５】
まず、放送信号の記録系について説明する。アンテナ３１で受信された放送信号は、チューナ１５で選局され、さらにＡ／Ｄ変換器１４でデジタル信号に変換された後に、符号化回路１３で、例えばＭＰＥＧ−２方式により圧縮符号化される。圧縮符号化された放送信号は、一旦記録バッファ１２に格納された後、記録再生部１１ｂによってハードディスク１１ａのデータ記録領域のセクタに順次記録される。放送信号の記録が終了すると、ＨＤＤ制御部１１ｃは、後述の制御部２０からの指示に従って、記録された放送信号を管理する情報をハードディスク１１ａの管理領域に記録するように記録再生部１１ｂに指示する。
【００１６】
次に、放送信号の再生系について説明する。ハードディスク１１ａに記録された放送信号は記録再生部１１ｂによって読み出され、一旦再生バッファ１６に格納された後に復号化回路１７で復号される。この復号された放送信号に対して、制御部２０から出力されるＯＳＤ（オンスクリーンディスプレイ）用のデータがＯＳＤ処理回路１８で重畳される。ＯＳＤ処理回路１８の出力信号は、Ｄ／Ａ変換器１９でアナログ信号に変換され、接続ケーブル３３によってテレビ３２に送られ、テレビ３２からテレビ放送の映像および音声が出力される。尚、上述のＡ／Ｄ変換や圧縮符号化などは、実際には放送の映像信号および音声信号に対して別々に行われるが、本発明の直接的事項ではないので、上述のＡ／Ｄ変換や圧縮符号化などについては簡略化して記載している。
【００１７】
制御部２０は、ＣＰＵ２０ａ、メモリ２０ｂ（例えば、ＲＯＭ、ＲＡＭおよびフラッシュメモリ）などから構成され、ＣＰＵ２０ａがメモリ２０ｂに格納されたプログラムを実行することによって、チューナ１５などの装置の各部を制御する。メモリ２０ｂには上述のＯＳＤ用のデータ、各種の制御データなどが格納されている。メモリ２０ｂから読み出されたＯＳＤ用のデータは、制御部２０によりＯＳＤ処理回路１８に送られる。リモコン２１は多数の操作キーを備えており、操作キーが押されると当該操作キーの信号を制御部２０に送信する。そして、制御部２０は、装置の各部を制御することにより押された操作キーに応じた処理、例えば放送信号をハードディスク１１ａへ記録する処理を実行する。
【００１８】
図２は、本発明の動作を示すフローチャートである。まず、装置に電源が投入されたときの動作について説明する。電源が投入されたときに下記の処理が行われるのは、ＨＤＤ１１を交換する前にユーザが電源を切断し、ＨＤＤ１１の交換後に電源を投入するからである。電源が投入されると、制御部２０はＨＤＤ１１からＨＤＤ１１の機種を示す機種情報を読み出す（Ｓ１）。この読み出しは、制御部２０がＨＤＤ制御部１１ｃへ機種情報を読み出すためのＡＴＡ準拠のコマンドを送信し、ＨＤＤ制御部１１ｃから機種情報を受信することによって行われる。
【００１９】
次に、制御部２０は、メモリ２０ｂに予め記憶されているＨＤＤ１１の機種を示す機種情報とＨＤＤ１１から読み出された機種情報とが同じであるか否かを調べることによって、ＨＤＤ１１から読み出された機種情報が正しいか否かを判定する（Ｓ２）。上記のメモリ２０ｂ中の機種情報は、装置に取り付けられるＨＤＤ１１の機種を示す情報（すなわち、当該機種のＨＤＤ１１から読み出された機種情報と同じ情報）がフラッシュメモリなどの不揮発性のメモリに装置の製造時に書き込まれたものである。
【００２０】
ＨＤＤ１１から読み出した機種情報が正しい場合（Ｓ２：ＹＥＳ）、すなわちＨＤＤ１１の機種が正しい場合は、制御部２０は、所定のＡＴＡ準拠のコマンドをＨＤＤ制御部１１ｃへ送信することによって、ハードディスク１１ａの管理領域の所定の位置に記録されているＨＤＤ適合情報をＨＤＤ１１から読み出す（Ｓ３）。この場合、上記コマンドを受信したＨＤＤ制御部１１ｃは、記録再生部１１ｂなどを制御することにより、ハードディスク１１ａからＨＤＤ適合情報を読み出し、制御部２０へ送信する。このＨＤＤ適合情報は、ＨＤＤ１１が装置に適合する適合品であることを示す情報であり、市販されている同じ機種のＨＤＤのハードディスクには記録されていない情報である。
【００２１】
ＨＤＤ適合情報は、例えば、工場での装置の製造時に装置を検査調整モードに設定し、所定の操作を行うことで、ハードディスク１１ａの管理領域の所定の位置に記録される。このＨＤＤ適合情報は、例えば、６４桁以内の英数字とハイフォンからなる文字列であり、装置の製造者の名称、装置の型式、型式ごとのバージョン番号などからなる。また、ＨＤＤ適合情報がユーザに容易に知られないように、上記以外の文字列をＨＤＤ適合情報に追加するのが望ましい。尚、ＨＤＤ適合情報のハードディスク１１ａの記録領域や記録方法は上記のものに限定されるものではなく、ＨＤＤ適合情報がハードディスク１１ａに記録されているのであれば、他の方法でハードディスク１１ａに記録するようにしてもよい。
【００２２】
次に、制御部２０は、メモリ２０ｂに予め記憶されているＨＤＤ適合情報とＨＤＤ１１から読み出されたＨＤＤ適合情報を比較することにより、ＨＤＤ１１から読み出されたＨＤＤ適合情報が正しいか否かを判定する（Ｓ４）。上記のメモリ２０ｂ中のＨＤＤ適合情報は、適合品のＨＤＤ１１のハードディスク１１ａに記録されているＨＤＤ適合情報と同じ情報がフラッシュメモリなどの不揮発性のメモリに装置の製造時に書き込まれたものである。ＨＤＤ適合情報が正しい場合（Ｓ４：ＹＥＳ）、すなわち適合品のＨＤＤ１１が取り付けられている場合は、制御部２０は、メモリ２０ｂ中の判定結果変数に１を設定し（Ｓ５）、電源投入時の処理を終了する。
【００２３】
一方、ＨＤＤ１１から読み出した機種情報が正しくない場合（Ｓ２：ＮＯ）、例えば、ユーザが異なる機種のＨＤＤ１１に交換したような場合、またはＨＤＤ１１から読み出したＨＤＤ適合情報が正しくない場合（Ｓ４：ＮＯ）、例えば、ユーザが交換したＨＤＤ１１の機種は正しいが、ＨＤＤ適合情報が記録されていないＨＤＤ１１に交換したような場合は、制御部２０は、上記の判定結果変数に０を設定し（Ｓ６）、電源投入時の処理を終了する。当該処理の終了後は、制御部２０は、操作キー信号を受信したか否かを確認する処理などを行う。
【００２４】
次に、操作キー信号を受信したときの処理について説明する。操作キー信号を受信すると、制御部２０は、当該操作キーによって指示された処理が、ハードディスク１１ａにアクセスする処理であるか否かを調べる（Ｓ１１）。ハードディスク１１ａにアクセスする処理ではない場合（Ｓ１１：ＮＯ）、例えば、テレビ３２の音量を大きくする処理であるような場合は、制御部２０は、本発明とは無関係な、指示内容に応じた他の処理を行う。
【００２５】
ハードディスク１１ａにアクセスする処理である場合（Ｓ１１：ＹＥＳ）、例えば、放送信号をハードディスク１１ａに記録する処理である場合は、制御部２０は、上述の判定結果変数の値が１であれば（Ｓ１２：ＹＥＳ）、操作キーで指示された処理、例えば、放送信号をハードディスク１１ａに記録する処理を実行し、操作キー信号の受信処理を終了する。それに対し、判定結果変数の値が０であれば（Ｓ１２：ＮＯ）、制御部２０は、エラーメッセージのＯＳＤ用データをＯＳＤ処理回路１８に送ることによって、エラーメッセージをテレビ３２に表示させ（Ｓ１４）、操作キー信号の受信処理を終了する。テレビ３２の画面には、「規格外のハードディスクドライブが取り付けられていますので、放送の記録を行うことができません。」というようなエラーメッセージが表示される。
【００２６】
上述のように、ＨＤＤ１１の機種が正しく、且つＨＤＤ１１が適合品である場合を除き、ハードディスク１１ａにアクセスする処理、例えば、ハードディスク１１ａに対する放送信号の記録や再生の処理をできないようにしているので、ユーザがＨＤＤ１１の交換をしないようになり、ＨＤＤ１１の交換に伴うトラブルの発生を未然に防止することができる。尚、元々取り付けられているＨＤＤ１１を市販のＨＤＤに交換するとハードディスク１１ａにアクセスする処理ができなくなる旨は、装置の取り扱い説明書に記載されている。
【００２７】
以上述べた実施形態においては、電源投入時にＨＤＤ１１の機種が正しく且つＨＤＤ１１が適合品であるか否かを判定するようにしたが、別の時点で、例えば、図２のＳ１１とＳ１２との間で上記判定を行うようにしてもよい。また、上記実施形態では、ＨＤＤ１１の機種が正しいか否か、およびＨＤＤ１１が適合品であるか否かを判定するようにしたが、市販のＨＤＤには上述のＨＤＤ適合情報が記録されていないので、ＨＤＤ１１が適合品であるか否かだけを判定するようにしてもよい。
【００２８】
さらに、上記実施形態では、記録媒体がＨＤＤ１１のハードディスク１１ａである場合について説明したが、記録媒体がハードディスク１１ａ以外である場合、例えば記録媒体が不揮発性の半導体メモリなどである場合にも本発明を適用することができる。さらに、上記実施形態では、放送信号はハードディスク１１ａにのみ記録されたが、ＤＶＤ−ＲＷなどの光ディスクにも記録できる機能を併せ持つ記録再生装置でも本発明を実施することができる。さらに、上記実施形態では、放送がテレビ放送である場合について説明したが、ラジオ放送である場合でも本発明を実施することができる。
【図面の簡単な説明】
【００２９】
【図１】ハードディスクレコーダの構成を示すブロック図である。
【図２】本発明の動作を示すフローチャートである。
【符号の説明】
【００３０】
１０  筐体
１１  ＨＤＤ（ハードディスクドライブ）
１１ａ  ハードディスク
１１ｂ  記録再生部
１１ｃ  ＨＤＤ制御部
２０  制御部
２０ａ  ＣＰＵ
２０ｂ  メモリ
【図１】
2006065906.tif 000003
【図２】
2006065906.tif 000004